(57)【特許請求の範囲】
【請求項１】
上側に開口した溝が形成された下側横桟部材と、夫々対向する横側に開口した溝が形成された左右側の支柱部材と、下側に開口した溝が形成された上側横桟部材と、前記溝によって係合支持される板部材とから構成され、
前記板部材は、第１の板体と第２の板体と、前記第１の板体と前記第２の板体との間に挟まれるシート体とを備えて構成され、
前記第１の板体と前記第２の板体とは、透光性を有することを特徴とするベッド用ボードの主構造体。
【請求項２】
前記下側及び上側の横桟部材は、夫々の左右端縁を、左右側の支柱部材の溝に係合した状態でねじ止めにより結合するように構成されることを特徴とする請求項１に記載のベッド用ボードの主構造体。
【請求項３】
上側横桟部材は左右側の支柱部材の上端から離れた個所において結合され、左右側の支柱部材の上端間には、他の棒状の上側横桟部材を、その左右端縁を左右側の支柱部材の端部において、その溝に係合した状態でねじ止めにより結合し、前記上側横桟部材と、前記他の棒状の上側横桟部材間に隙間を形成したことを特徴とする請求項２に記載のベッド用ボードの主構造体。
【請求項４】
上下側の横桟部材と左右側の支柱部材との結合は、支柱部材に形成したねじ止め用開口部から、溝の底部に形成された取付孔を経て横桟部材の螺合部に螺合させるねじにより行う構成である請求項２又は３に記載のベッド用ボードの主構造体。
【請求項５】
左右側の支柱部材には、その外側面を、ねじ止め用開口部を含めて覆うためのカバー部材
を着脱可能に係合させる構成としたことを特徴とする請求項４に記載のベッド用ボードの
主構造体。
【請求項６】
上下側の横桟部材及び左右側の支柱部材を、アルミニウムの押出成形材により構成し、タッピングホールをねじ止めの螺合部としたことを特徴とする請求項２〜５のいずれか１項に記載のベッド用ボードの主構造体。
【請求項７】
前記第１の板体と前記第２の板体とは、多数の補強リブ部を有する合成樹脂製中空板により構成したことを特徴とする請求項６に記載のベッド用ボードの主構造体。
【請求項８】
前記シート体は、入れ替え可能であることを特徴とする請求項１〜７のうち何れか一項に記載のベッド用ボードの主構造体。
【発明の詳細な説明】
【技術分野】
【０００１】
本発明は、ベッド用ボード、即ち、ベッドの頭側と足側に夫々設けるヘッドボードやフットボードにおいて、それらに作用する荷重を支持する主構造体に関する。
【背景技術】
【０００２】
ベッド用ボードは、ベッドを移動させる際などに力を加えたり、凭りかかる等で人の体重が加えることがあるため、それらにより加わる荷重に対して、ベッド用ボードとしての構造を維持するため、作用する荷重を支持する主構造体は、剛性の高い強固な構造として耐久性を高める必要がある。
【０００３】
一方、ベッドは、病院等の施設や一般家庭を含め、居室環境に応じたデザインを選択できるようにするために各種のデザインのものが提供されており、ベッドにおいて、デザイン上の比重の大きいベッド用ボードは、その意匠性を向上させたり、変更可能とするための各種提案が従来からなされている。
【０００４】
例えば、特許文献１には、主構造体としての板体の一面側に、矩形状のパネルの縁を嵌合する溝を設けた枠部材を額縁状に配置して支持した構成とし、縦方向に配置された左右側の枠部材を取り外して前記パネルを交換可能とすることにより、デザインを容易に変更できるようにしたヘッドボードが記載されている。
【０００５】
また、特許文献２には、主構造体としての板体に枠孔を設け、透明或いは透明度を有する前板と後板との間に模様物を介在させて設けた装飾板を前記枠孔に嵌め込んで装飾的効果を高めたベッド用ボードが記載されている。
【０００６】
更に特許文献３には、主構造体としての板体の一部を部分的に凹陥させて取付部を形成し、この取付部に発光化粧構造体を設置して、装飾性を向上させたベッド用ボードが記載されている。
【先行技術文献】
【特許文献】
【０００７】
【特許文献１】特許第３０５５０４０号公報
【特許文献２】実開昭６４−３００４９号公報
【特許文献３】特許第４９１２５０２号公報
【発明の開示】
【発明が解決しようとする課題】
【０００８】
以上に挙げた特許文献１〜３に記載されたベッド用ボードでは、荷重に対して構造を維持するための主構造体は、荷重に対して強固とするために、いずれも板体としており、板体の一部に装飾用のパネル等を配置する構成であるからデザインがシンプルではなく、それを変更する自由度も低い。
【０００９】
本発明は、このような課題を解決することを目的とするものである。
【課題を解決するための手段】
【００１０】
上述した課題を解決するために、本発明では、上側に開口した溝が形成された下側横桟部材と、夫々対向する横側に開口した溝が形成された左右側の支柱部材と、下側に開口した溝が形成された上側横桟部材と、前記溝によって係合支持される板部材とから構成され、前記板部材は、第１の板体と第２の板体と、前記第１の板体と前記第２の板体との間に挟まれるシート体とを備えて構成され、前記第１の板体と前記第２の板体とは、透光性を有するベッド用ボードの主構造体を提案する。
【００１１】
また本発明では、前記構成において、前記下側及び上側の横桟部材が、夫々の左右端縁を、左右側の支柱部材の溝に係合した状態でねじ止めにより結合する構成のベッド用ボードの主構造体を提案する。
また本発明では、前記構成において、上側横桟部材は左右側の支柱部材の上端から離れた個所において結合され、左右側の支柱部材の上端間には、他の棒状の上側横桟部材を、その左右端縁を左右側の支柱部材の端部において、その溝に係合した状態でねじ止めにより結合し、前記上側横桟部材と、前記他の棒状の上側横桟部材間に隙間を形成したベッド用ボードの主構造体を提案する。
【００１２】
また本発明では、前記構成において、上下側の横桟部材と左右側の支柱部材との結合は、支柱部材に形成したねじ止め用開口部から、溝の底部に形成された取付孔を経て横桟部材の螺合部に螺合させるねじにより行う構成のベッド用ボードの主構造体を提案する。
【００１３】
また本発明では、前記構成において、左右側の支柱部材には、その外側面を、ねじ止め用開口部を含めて覆うためのカバー部材を着脱可能に係合させる構成としたベッド用ボードの主構造体を提案する。
【００１４】
また本発明では、前記構成において、上下側の横桟部材及び左右側の支柱部材を、アルミニウムの押出成形材により構成し、タッピングホールをねじ止めの螺合部としたベッド用ボードの主構造体を提案する。
【００１５】
また本発明では、前記構成において、前記第１の板体と前記第２の板体とが、多数の補強リブ部を有する合成樹脂製中空板により構成されるベッド用ボードの主構造体を提案する。
また発明では、前記構成において、前記シート体が、入れ替え可能である構成のベッド用ボードの主構造体を提案する。
【発明の効果】
【００１６】
本発明に係るベッド用ボードの主構造体では、下側横桟部材の左右端縁を、左右側の支柱部材の溝に係合した状態でねじ止めにより結合するのであるが、下側横桟部材は帯板状に構成しており、この左右端縁を、左右側の支柱部材の溝に係合した状態でねじ止めにより結合するので、これらの下側横桟部材と左右側の支柱部材とを高い剛性で堅固に結合することができる。
【００１７】
このように結合した状態において、左右側の支柱部材の対向した溝の間に板部材を挿入して下端まで下降し、その下端縁を、下側横桟部材の溝に係合した後、上側横桟部材の溝を板部材の上端縁に係合し、この状態で、上側横桟部材の左右端縁を左右側の支柱部材の溝に係合してねじ止めにより結合する。こうして本発明に係る主構造体を構成することができる。
【００１８】
このように本発明に係るベッド用ボードの主構造体では、下側横桟部材と、左右側の支柱部材とを非常に高い剛性で堅固に結合すると共に、左右側の支柱部材の上側においても、上側横桟部材と堅固に結合することができるので、上下側の横桟部材と左右側の支柱部材からなる矩形枠の剛性を非常に高くすることができ、その矩形枠内に板部材を安定して支持することができる。
【００１９】
本発明では、以上の構成において、上側横桟部材は左右側の支柱部材の上端から離れた個所において結合し、上側横桟部材は左右側の支柱部材の上端から離れた個所において結合した後、左右側の支柱部材の上端間に、他の棒状の上側横桟部材を、その左右端縁を左右側の支柱部材の端部において、その溝に係合した状態でねじ止めにより結合した構成とすることができ、この構成では、前記上側横桟部材と、前記他の棒状の上側横桟部材間に隙間を形成することができる。
【００２０】
この構成では、隙間があることにより、上記他の棒状の上側横桟部材をグリップとして使用することができ、上側横桟部材を握ってベッドを移動する際等に利用することができる。
【００２１】
本発明に係るベッド用ボードの主構造体は、上記矩形枠内に支持する板部材の色、模様等を異ならせることにより、それによって意匠を異ならせたベッド用ボードを容易に提供することができる。
【００２２】
例えば、板部材を、表裏側に積層される第１、第２の板体と、これらの第１の板体と第２の板体間に挟まれるシート体とから構成し、これらの第１の板体と第２の板体の少なくとも一方側を透光性とすれば、透光性の板体を透かしてシート体の表面が見えるため、シート体の表面の色や模様等の態様を異ならせることにより、板部材の色、模様等を容易に異ならせることができる。
【００２３】
透光性の板体として、多数の補強リブ部を有する合成樹脂製中空板を用いることにより、軽量化と耐衝撃性の向上を図ることができる。
【００２４】
このように、本発明に係るベッド用ボードの主構造体は、デザイン上の変更が容易な板部材を支持する矩形枠の剛性が高く堅固であるにもかかわらず、この矩形枠は、ねじ止めによって結合して構成するものであるから、一部、例えば上側横桟部材を比較的容易に外せるように構成することも可能であり、この構成では、板部材を容易に交換することも可能である。この構成ではユーザーが使用している時点でデザインの変更が可能な構成のベッド用ボードを提供することもできる。
【００２５】
本発明に係るベッド用ボードの主構造体を構成する上下側の横桟部材と左右側の支柱部材は、アルミニウムの押出成形材により構成することができ、従来のベッド用ボードの素材と比較して、意匠性を高めると共に、ねじ止めのための要素、例えばタッピングホール等を構成することも容易である。
【００２６】
本発明に係るベッド用ボードの主構造体は、支柱部材の下部等にベッドへの適宜の取付金具を取り付けたり、支柱部材等の外側面に表れている、例えば、ねじ止め用穴や端部の露出部等の意匠性を下げたり、部材の端部等の危険性のある部分を覆うためのカバーキャップや、カバー部材、コーナーバンパー等を取り付けてベッド用ボードとして構成することができる。
【図面の簡単な説明】
【００２７】
【図１】図１は本発明に係る主構造体のベッド用ボード（ヘッドボード及びフットボード）を取り付けて構成したベッドの一例を示す斜視図である。
【図２】図２は図１に示すフットボードの主構造体のみをベッドの外側から見た正面図である。
【図３】図３は図１に示すフットボードの主構造体の背面図である。
【図４】図４は図２に示す主構造体の構成部材を示す正面側説明図である。
【図５】図５は図４に示す構成部材中の上側横桟部材の断面図である。
【図６】図６は図４に示す構成部材中の下側横桟部材の断面図である。
【図７】図７は図４に示す構成部材中の支柱部材の断面図である。
【図８】図８は下側横桟部材と支柱部材の取付前の状態を示す斜視図である。
【図９】図９は下側横桟部材と支柱部材の取付状態を示す斜視図である。
【図１０】図１０は上側横桟部材と支柱部材の取付前の状態を示す斜視図である。
【図１１】図１１は上側横桟部材と支柱部材の取付状態を示す斜視図である。
【図１２】図１２は図３のＡ−Ａ線断面図である。
【図１３】図１３は図３のＢ−Ｂ線断面図である。
【図１４】図１４は図１３に示す支柱部材にカバー部材を装着した状態を示す該当個所の断面図である。
【図１５】図１５は透光性の板体の一例を示す要部斜視図である。
【図１６】図１６は図１に示すヘッドボードの主構造体のみをベッドの外側から見た正面図である。
【図１７】図１７は図１６に示す主構造体の構成部材を示す正面側説明図である。
【図１８】図１８は図１７に示す主構造体の上側横桟部材の断面図である。
【図１９】図１９は図１７に示す主構造体の他の上側横桟部材の断面図である。
【図２０】図２０はベッドへの取付金具を取り付けた状態を示す斜視図である。
【図２１】図２１は支柱部材にカバー部材を装着した状態を示す斜視図である。
【図２２】図２２は支柱部材の上端にカバーキャップを取り付けた状態を示す斜視図である。
【図２３】図２３は支柱部材の下端にコーナーバンパーを取り付けた状態を示す斜視図である。
【発明を実施するための形態】
【００２８】
次に本発明の実施の形態を、添付図面を参照して説明する。
まず図１は本発明に係る主構造体のベッド用ボード（ヘッドボード及びフットボード）を取り付けて構成したベッドの一例を示す斜視図であり、符号１はベッド、２は床部支持フレーム、３は床部、４は床部上に載置されたマットレスを示している。符号５は本発明に係る主構造体７を有するベッド用ボードを示すものであり、添字ｈを付加した５ｈがヘッドボード、添字ｆを付加した５ｆがフットボードを示している。また符号６は装飾パネルであり、添字ｓを付加した６ｓが床部支持フレーム２のサイド部材に装着して装飾するサイドパネル、添字ｂを付加した６ｂがベッド用ボードの下記下側横桟部材の外側に装着して装飾するボードパネルを示している。また、主構造体７は、ヘッドボード５ｈの主構造体を、添字ｈを付加して７ｈとして示し、フットボード５ｆの主構造体を、添字ｆを付加して７ｆとして示す。
【００２９】
上述したように図２は図１に示すフットボード５ｆの主構造体７ｆのみをベッド１の外側から見た正面図、また図３は背面図であり、図４は主構造体７ｆの構成部材を示す正面側説明図である。また図５〜図７は主構造体７ｆの各構成部材を示している。
【００３０】
これらの図に示すように、主構造体７ｆは、帯板状の下側横桟部材８と、左右側の支柱部材９と、上側横桟部材１０と、これらが結合して形成される矩形枠内に支持される板部材１１とから構成される。
【００３１】
下側横桟部材８は、図６に示すように、上下方向に幅のある、概ね、縦方向の帯板状に形成し、上部に上側に開口した溝８ｇを形成すると共に、上部と下部にタッピングホール８ｔを形成し、更に図中、右面には、上記ボードパネル６ｂに設けた突条を係合して装着するための係合溝１２を形成している。この下側横桟部材８はアルミニウムの押出成形中空材として形成され、適宜補強リブを形成している。
【００３２】
次に、支柱部材９は、図７に示すように、横長矩形状断面を有し、図中左端側に左側に開口した溝９ｇを有すると共に、左右端部にタッピングホール９ｔを形成し、更に図中、右上端部に、後述するカバー部材１３を装着するための爪部１４を形成している。この支柱部材９も、上部横桟部材８と同様にアルミニウムの押出成形中空材として形成し、適宜補強リブを形成している。この支柱部材９は左右一対に設けられるのであり、それらは左右対称の形状に形成している。
【００３３】
次に、上側横桟部材１０は、図５に示すように、上部に張出部１５を有し、下部に下側に開口した溝１０ｇを形成すると共に、中間部に上下一対のタッピングホール１０ｔが形成されている。この下側横桟部材８も、上述した部材と同様に、アルミニウムの押出成形中空材として形成している。
【００３４】
ここで、下側横桟部材８の溝８ｇの外側幅に等しい左右端縁の厚さ及び上側横桟部材１０の張出部１５を除いた溝１０ｇの外側幅に等しい左右端縁の厚さは、支柱部材９の溝９ｇの内側幅よりも僅かに小さい程度で、溝９ｇに隙間なく係合する構成としている。
【００３５】
以上の構成において、本発明に係る主構造体７ｆでは、下側横桟部材８の左右端縁を、左右側の支柱部材９の溝９ｇに係合した状態でねじ止めにより結合する。即ち、図８、図９に示すように、支柱部材９と下側横桟部材８との所定の結合個所には、下側横桟部材８のタッピングホール８ｔに対応した位置に、ねじ止め用の穴１６と、ねじ１７を螺合操作するドライバ１８用の穴１９を形成して、これらによりねじ止めを行い結合する。
【００３６】
上述した通り、下側横桟部材８は帯板状に構成しており、この左右端縁を、左右側の支柱部材９の溝９ｇに係合した状態でねじ止めにより結合するので、これらの下側横桟部材８と左右側の支柱部材９とを高い剛性で堅固に結合することができる。
【００３７】
このように下側横桟部材８と左右側の支柱部材９とを結合した状態において、左右側の支柱部材９の対向した溝９ｇの間に板部材１１を挿入して下端まで下降し、その下端縁を、下側横桟部材８の溝８ｇに係合する。次いで、図１０、図１１に示すように、上側横桟部材１０の溝１０ｇを板部材１１の上端縁に係合し、この状態で、上側横桟部材１０の、張出部１５を除く左右端縁を、左右側の支柱部材９の溝９ｇに係合してねじ止めにより結合する。
【００３８】
図１０、図１１に示すように、支柱部材９の上側横桟部材１０との所定の結合個所には、下側横桟部材８との結合個所と同様に、上側横桟部材１０のタッピングホール１０ｔに対応した位置に、ねじ止め用の穴１６と、ねじ１７を螺合操作するドライバ１８用の穴１９や切り欠き１９’を形成して、これらによりねじ止めを行い結合する。
【００３９】
以上の結合作業により構成される本発明に係るベッド用ボード５、この例の場合、フットボード５ｆの主構造体７ｆでは、下側横桟部材８と、左右側の支柱部材９とを非常に高い剛性で堅固に結合すると共に、左右側の支柱部材９の上側においても、上側横桟部材１０と堅固に結合することができるので、上下側の横桟部材８、１０と左右側の支柱部材９からなる矩形枠の剛性を非常に高くすることができ、その矩形枠内に板部材１１を安定して支持することができる。
【００４０】
以上のようにして構成される主構造体７ｆは、後述するヘッドボード５ｈの主構造体７ｈも同様に、上記矩形枠内に支持する板部材１１の色、模様等を異ならせることにより、それによって意匠を異ならせたベッド用ボード５を容易に提供することができる。
【００４１】
例えば、板部材１１を、表裏側に積層される第１、第２の板体１１ａ、１１ｂと、これらの第１の板体１１ａと第２の板体１１ｂ間に挟まれるシート体１１ｃとから構成し、これらの第１の板体１１ａと第２の板体１１ｂの両方又はいずれか一方側を透光性とすれば、透光性の板体１１ａ、１１ｂを透かしてシート体１１ｃの表面が見えるため、シート体１１ｃの表面の色や模様等の態様を異ならせることにより、板部材１１の色、模様等を容易に異ならせることができる。
【００４２】
透光性の板体１１ａ、１１ｂとして、例えば、図１５に示すように、多数の補強リブ部ｒを有するポリカーボネート等の合成樹脂製中空板を用いることにより、軽量化と耐衝撃性の向上を図ることができる。
【００４３】
特に、本発明に係る、主構造体７ｆは、後述する主構造体７ｈも同様に、デザイン上の変更が容易な板部材１１を支持する矩形枠の剛性が高く堅固であるにもかかわらず、この矩形枠は、ねじ止めによって結合して構成するものであるから、一部、例えば上側横桟部材１０を比較的容易に外せるように構成することも可能であり、この構成では、板部材を容易に交換することも可能である。この構成では、ユーザーが使用している時点でデザインの変更が可能な構成のベッド用ボードを提供することもできる。
【００４４】
次に、図１６は図１に示すヘッドボード５ｈの主構造体７ｈのみをベッド１の外側から見た正面図、図１７は主構造体７ｈの構成部材を示す正面側説明図であり、図１８、図１９は、フットボード５ｆの主構造体７ｆの構成部材とは異なる主構造体７ｈの構成部材を示す断面図である。
【００４５】
このヘッドボード５ｈの主構造体７ｈの下側横桟部材８は、主構造体７ｆのものと同様であり、また左右側の支柱部材９も、必要に応じて長さを調節する他は、主構造体７ｆのものと同様である。更に、板部材１１についても、上下幅を調節する他は、主構造体７ｆのものと同様である。
【００４６】
一方、この主構造体７ｈにおいては、主構造体７ｆの上側横桟部材１０に代えて、第１の上側横桟部材２０と第２の上側横桟部材２１を構成部材とする。図１８、図１９に示すように、第１の上側横桟部材２０と第２の上側横桟部材２１は、主構造体７ｆの上側横桟部材１を上下に分割したような構成であり、第１の上側横桟部材２０には下側に開口した溝２０ｇとタッピングホール２０ｔが形成され、また第２の上側横桟部材２１には、張出部２２とタッピングホール２１ｔが形成されている。
【００４７】
この主構造体７ｈは、以上の構成において、下側横桟部材８と左右側の支柱部材９とは、主構造体７ｆと同様に結合した後、第１の上側横桟部材２０は左右側の支柱部材９の上端から離れた個所において、その両端縁を支柱部材９の溝９ｇに係合した状態でねじ止めにより結合すると共に、第２の上側横桟部材２１は、その左右端縁を左右側の支柱部材９の端部において、その溝９ｇに係合した状態でねじ止めにより結合する。これらのねじ止め方法は、主構造体７ｆの上側横桟部材１０の場合と同様である。
【００４８】
このようにして構成した主構造体７ｈでは、前記第１の上側横桟部材２と、第２の上側横桟部材２１間に隙間２３を形成することができ、第２の上側横桟部材２１が棒状の構成であることから、隙間２３があることにより、第２の上側横桟部材２１をグリップとして使用することができ、この第２の上側横桟部材２１を握ってベッドを移動する際等に利用することができる。
【００４９】
以上に説明した本発明に係るベッド用ボード５の主構造体７ｈ、７ｆは、例えば図２０、図２１に示すように、支柱部材９の下部等に適宜の取付金具２４を取り付けることにより、ベッド１への取付が可能となる。また、図１４、図２１〜図２２に示すように、支柱部材９の外側面に表れている、例えば、ねじ止め用穴や、端部の露出部等の、意匠性を下げたり、怪我をする危険性のある部分を覆うためのカバーキャップ２５や、支柱部材９のカバー部材１３を取り付けたり、図２３に示すように、コーナーバンパー２６等を取り付けて所望のベッド用ボードとして構成することができる。
【符号の説明】
【００５０】
１              ベッド
２              床部支持フレーム
３              床部
４              マットレス
５              ベッド用ボード
５ｈ          ヘッドボード
５ｆ          フットボード
６              装飾パネル
６ｓ          サイドパネル
６ｂ          ボードパネル
７              主構造体
７ｈ          ヘッドボードの主構造体
７ｆ          フットボードの主構造体
８              下側横桟部材
８ｇ          溝
８ｔ          タッピングホール
９              支柱部材
９ｇ          溝
９ｔ          タッピングホール
１０            上側横桟部材
１０ｇ        溝
１０ｔ        タッピングホール
１１            板部材
１１ａ，１１ｂ  板体
１１ｃ        シート体
１２            係合溝
１３            カバー部材
１４            爪部
１５            張出部
１６、１９      穴
１７            ねじ
１８            ドライバ
１９            切り欠き
２０            第１の上側横桟部材
２０ｇ        溝
２０ｔ        タッピングホール
２１            第２の上側横桟部材
２１ｔ        タッピングホール
２２            張出部
２３            隙間
２４            取付金具
２５            カバーキャップ
２６            コーナーバンパー
ｒ              補強リブ
【図１】
0006358866.tif 000002
【図２】
0006358866.tif 000003
【図３】
0006358866.tif 000004
【図４】
0006358866.tif 000005
【図５】
0006358866.tif 000006
【図６】
0006358866.tif 000007
【図７】
0006358866.tif 000008
【図８】
0006358866.tif 000009
【図９】
0006358866.tif 000010
【図１０】
0006358866.tif 000011
【図１１】
0006358866.tif 000012
【図１２】
0006358866.tif 000013
【図１３】
0006358866.tif 000014
【図１４】
0006358866.tif 000015
【図１５】
0006358866.tif 000016
【図１６】
0006358866.tif 000017
【図１７】
0006358866.tif 000018
【図１８】
0006358866.tif 000019
【図１９】
0006358866.tif 000020
【図２０】
0006358866.tif 000021
【図２１】
0006358866.tif 000022
【図２２】
0006358866.tif 000023
【図２３】
0006358866.tif 000024